(57)【要約】【課題】点火源の損傷による点火性能の低下を防止することができるコンロ用バーナを提供する。【解決手段】燃料ガスと一次空気との混合ガスを供給する混合管８，９と、混合管８，９に連設された円筒状のバーナボディ１と、バーナボディ１の上端面１０に載置されて外周に沿って多数の炎孔６，７を形成するバーナヘッド２と、炎孔６，７に点火するための点火源１１とを備える。バーナボディ１は、その上端面１０から起立して、バーナボディ１の周方向に所定の空隙を存して互いに対向する一対の起立壁１２を備える。両起立壁１２の間に、点火源１１を配置する。【選択図】図２
2014163636.tif 000002
【特許請求の範囲】
【請求項１】
燃料ガスと一次空気との混合ガスを供給する混合管と、該混合管に連設された円筒状のバーナボディと、該バーナボディの上端面に載置されて外周に沿って多数の炎孔を形成するバーナヘッドと、前記炎孔に点火するための点火源とを備えるコンロ用バーナにおいて、
前記バーナボディは、その上端面から起立して、該バーナボディの周方向に所定の空隙を存して互いに対向する一対の起立壁を備え、
両起立壁の間に、前記点火源が配置されていることを特徴とするコンロ用バーナ。
【請求項２】
前記点火源は平板状ヒータであり、該ヒータの板面が前記バーナボディの周方向を向いて前記起立壁に対向していることを特徴とする請求項１記載のコンロ用バーナ。
【請求項３】
前記バーナボディの径方向における前記平板状ヒータより内方であって該平板状ヒータの発熱部に対応する位置に、点火用炎孔を設けたことを特徴とする請求項２記載のコンロ用バーナ。
【請求項４】
前記バーナヘッドは、前記バーナボディの上端面に載置したときに前記起立壁に係合する係合部を備えることを特徴とする請求項１〜３の何れか１項記載のコンロ用バーナ。
【発明の詳細な説明】
【技術分野】
【０００１】
本発明は、ガスコンロに用いられるコンロ用バーナに関する。
【背景技術】
【０００２】
従来、燃料ガスと一次空気との混合ガスを供給する混合管と、混合管に連設されたバーナボディと、該バーナボディ上に載置されて外周に沿って多数の炎孔を形成する環状のバーナヘッドと、前記バーナボディに形成した凹部に収容された点火プラグ等の点火源とを備えるコンロ用バーナが知られている（下記特許文献１参照）。
【０００３】
この種のコンロ用バーナにおいては、例えば掃除の際に、バーナボディ上からバーナヘッドを取り外し、バーナボディの上端面の汚れを拭き取るといった作業が行われる。そして、掃除が終了してバーナボディ上にバーナヘッドを取り付けるときには、バーナボディに形成された切欠きにバーナヘッドの突起を嵌め込むことで、バーナボディ上の正しい位置にバーナヘッドを取り付けることができる。
【０００４】
ところで、バーナボディへのバーナヘッドの取り付け作業時には、一般に、先ずバーナボディの中心にバーナヘッドの中心を合わせながら、バーナボディ上にバーナヘッドを載置し、次いで、バーナボディ上に載置したバーナヘッドを回転させることによりバーナボディの切欠きにバーナヘッドの突起を嵌め込むといった位置合わせが行われる。こうすることで、正しい位置へのバーナヘッドの取り付けを円滑に行うことができる。
【先行技術文献】
【特許文献】
【０００５】
【特許文献１】特開平６−１８５７０７号公報
【発明の概要】
【発明が解決しようとする課題】
【０００６】
しかし、バーナヘッドの取り付けの際にバーナボディ上でバーナヘッドを回転させると、前記突起やその他の突出部がバーナボディの周方向から点火源に接触し、このときの接触荷重が比較的大きい場合には点火源が損傷して点火性能が低下するおそれがある。
【０００７】
上記の点に鑑み、本発明は、点火源の損傷による点火性能の低下を防止することができるコンロ用バーナを提供することを目的とする。
【課題を解決するための手段】
【０００８】
かかる目的を達成するために、本発明は、燃料ガスと一次空気との混合ガスを供給する混合管と、該混合管に連設された円筒状のバーナボディと、該バーナボディの上端面に載置されて外周に沿って多数の炎孔を形成するバーナヘッドと、前記炎孔に点火するための点火源とを備えるコンロ用バーナにおいて、前記バーナボディは、その上端面から起立して、該バーナボディの周方向に所定の空隙を存して互いに対向する一対の起立壁を備え、両起立壁の間に、前記点火源が配置されていることを特徴とする。
【０００９】
本発明によれば、点火源がバーナボディの上端面から起立する一対の起立壁の間に配置されている。これによって、点火源に対してバーナボディの周方向から付与される荷重を起立壁で受けることができ、点火源に対して直接的に荷重が加わるのを防止できる。
【００１０】
具体的には、例えば、掃除の際にバーナヘッドを取り外してバーナボディの上端面の汚れを拭き取る際に、拭き取り具等が点火源に接触することがなく、また、バーナヘッドをバーナボディに取り付ける際にバーナボディ上に載置したバーナヘッドを回転させて位置合わせを行っても、バーナヘッドが点火源に接触することがない。これによれば、点火源の損傷が防止でき、点火源の損傷による点火性能の低下を防止することができる。
【００１１】
また、本発明において、前記点火源は平板状ヒータであり、該ヒータの板面が前記バーナボディの周方向を向いて前記起立壁に対向していることが好ましい。
【００１２】
コンロ用バーナの点火源として用いられる平板状ヒータとして、セラミックヒータ（窒化珪素ヒータ）が挙げられる。セラミックヒータは、通電により発熱部の温度が上昇し、昇温速度の速いものでは通電開始から１秒で約１０００℃となる。そして、発熱部に混合ガスを接触させることにより、点火プラグによる点火動作時のような点火音がなく、点火プラグの火花放電に比べて安定した点火が行える。
【００１３】
セラミックヒータ等の平板状ヒータは、板面の幅方向（板厚方向に交差する方向）に比べて板面側（板厚方向）から受ける荷重や衝撃に対する強度が低い。そこで、本発明においては、平板状ヒータの板面をバーナボディの周方向に向け、板面側に起立壁を対向させたので、板面側から平板状ヒータにかかるおそれのある荷重や衝撃を、起立壁が受けて平板状ヒータの損傷を確実に防止することができる。
【００１４】
また、前記点火源が平板状ヒータであるとき、前記バーナボディの径方向における前記平板状ヒータより内方であって該平板状ヒータの発熱部に対応する位置に、点火用炎孔を設けることが好ましい。セラミックヒータ等の平板状ヒータは、その一部に最も高温となる発熱部が形成されるので、上記の位置に点火用炎孔を設けることで発熱部に混合ガスを確実に当てることができ、確実に点火することができる。
【００１５】
また、本発明において、前記バーナヘッドは、前記バーナボディの上端面に載置したときに前記起立壁に係合する係合部を備えることが好ましい。これによれば、起立壁を利用して、バーナヘッドを位置決めすることができる。従って、バーナヘッドに、点火源に接触するおそれのある位置決め用の突起等を形成する必要がなく、点火源の損傷を確実に防止することができる。
【図面の簡単な説明】
【００１６】
【図１】本発明の実施形態のコンロ用バーナを示す斜視図。
【図２】バーナボディを示す斜視図。
【図３】起立壁とヒータ部との位置関係を示す説明図。
【図４】バーナヘッドを示す斜視図。
【図５】コンロ用バーナの要部を示す説明的断面図。
【図６】バーナヘッドの一部の変形例を示す説明的断面図。
【発明を実施するための形態】
【００１７】
本発明の一実施形態を図面に基づいて説明する。本実施形態のコンロ用バーナは、図１に示すように、バーナボディ１と、バーナボディ１上に載置されたバーナヘッド２とを備えている。
【００１８】
バーナヘッド２は、鍋底温度センサ３を設けるための上下に貫通する中央部空間を有する環状に形成され、ヘッド本体４とヘッド本体４上に載置されたキャップ５とによって構成されている。ヘッド本体４は、上部の周方向に沿って形成された多数の溝を備え、キャップ５を載置してヘッド本体４の上面を閉塞するとその外周に多数の上部炎孔６が形成される。ヘッド本体４の下部にはその周方向に沿って多数の溝が形成されており、ヘッド本体４をバーナボディ１に載置することによってその外周に多数の下部炎孔７が形成される。
【００１９】
図２に示すように、バーナボディ１には、第１混合管８と第２混合管９とが連接されている。バーナボディ１は、バーナヘッド２の中央部空間に接続して鍋底温度センサ３を設けるための上下に貫通する中央部空間を有する環状に形成されている。また、詳細には図示していないが、バーナボディ１の内部には、二重の環状空間が形成されている。このうち一方の環状空間は第１混合管８に連通し、他方の環状空間は第２混合管９に連通している。第１混合管８と第２混合管９とは、夫々、上流端に臨ませて配置した各ノズル（図示せず）から噴出される燃料ガスと一次空気とを混合して混合ガスを生成する。
【００２０】
第１混合管８で生成された混合ガスは、バーナボディ１の一方の環状空間を経てバーナヘッド２の上部炎孔６から噴出し、第２混合管９で生成された混合ガスは、バーナボディ１の他方の環状空間を経てバーナヘッド２の下部炎孔７から噴出する。
【００２１】
図２に示すように、バーナボディ１の上端面にはバーナヘッド２を載置する載置部１０が形成されている。バーナボディ１には、点火源であるセラミックヒータ１１（窒化珪素ヒータ）が支持されている。セラミックヒータ１１は、基部１１ａと基部１１ａから露出する幅約５mm、厚さ約１mmの平板帯状のヒータ部１１ｂとで構成され、ヒータ部１１ｂが載置部１０から上方に延出するようにして設けられている。
【００２２】
また、バーナボディ１には、図２及び図３に示すように、載置部１０から起立する一対の起立壁１２が設けられている。両起立壁１２はバーナボディ１の周方向に所定の空隙を存して互いに対向する。そして、セラミックヒータ１１のヒータ部１１ｂは、両起立壁１２の間（本実施形態では両起立壁１２の中央位置）に配置されている。両起立壁１２は、セラミックヒータ１１のヒータ部１１ｂよりも高い位置まで突出している。そして、セラミックヒータ１１は、ヒータ部１１ｂの板面がバーナボディ１の周方向を向いて起立壁１２に対向する姿勢で設けられている。
【００２３】
更に、バーナボディ１には、下部炎孔７により形成される火炎を検知する熱電対１３が支持されている。熱電対１３は先端部が載置部１０に隣接して突出している。
【００２４】
ヘッド本体４の一部には、図４に示すように、点火用凹部１４と火炎検知用凹部１５とが形成されている。点火用凹部１４は、図１に示すようにバーナボディ１上のバーナヘッド２を載置したとき、載置部１０から突出する両起立壁１２及びセラミックヒータ１１を覆うと共に、両起立壁１２に係合し、バーナボディ１に対してバーナヘッド２を位置決めする。即ち、点火用凹部１４は、本発明の係合部としての作用を有している。また、バーナボディ１上のバーナヘッド２を載置したとき、火炎検知用凹部１５により形成される火炎検知用炎孔１６が熱電対１３に対向する。
【００２５】
点火用凹部１４の内部には、図４に示すように、段差による下面部１４ａが形成されている。一方、図３に示すように、両起立壁１２の奥側でセラミックヒータ１１の先端よりも低い位置に設けられた背面壁１７には点火用炎孔１８となる一対の溝が形成されている。火炎検知用炎孔１６及び点火用炎孔１８からは、下部炎孔７と同様にして第２混合管９で生成された混合ガスが噴出する。
【００２６】
そして、図１に示すように、バーナボディ１上のバーナヘッド２を載置したときには、図５に示すように、点火用凹部１４の下面部１４ａが両起立壁１２間にある背面壁１７に当接し、これによって、点火用凹部１４の内部のセラミックヒータ１１の先端よりも低い位置に点火用炎孔１８が形成される。
【００２７】
図５に示すように、セラミックヒータ１１のヒータ部１１ｂは先端縁（図５において上端縁）から僅かに距離を存した位置（約２mm）から基部１１ａ側の所定の範囲（約１０mm）が最も高温の主発熱部ｈとなる。
【００２８】
点火用炎孔１８は、上記の構成によりセラミックヒータ１１の主発熱部ｈに向かって混合ガスを噴出させる。これにより、混合ガスがセラミックヒータ１１の主発熱部ｈに確実に接触し、点火用の火炎が確実に形成される。点火用炎孔１８において形成された点火用の火炎は、点火用凹部１４の外周面に張り出す鍔部１９の下側を抜けてバーナヘッド２の外側に至り、下部炎孔７に火移りする。
【００２９】
このとき、セラミックヒータ１１は、その板面がバーナボディ１の周方向を向いていることにより、点火用炎孔１８からバーナヘッド２の外側に向かう点火用の火炎の邪魔になることはない。
【００３０】
なお、図１及び図５に示すように、点火用凹部１４の外周面に張り出して形成した鍔部１９を設けたことにより、バーナヘッド２の上方から煮汁等が流下しても、点火用凹部１４の内部への煮汁等の入り込みを確実に防止することができる。
【００３１】
ここで、本実施形態におけるバーナボディ１に設けた起立壁１２の作用を説明する。セラミックヒータ１１は、ヒータ部１１ｂの板面に対して直交する方向（板厚方向）から荷重を受けたときに損傷するおそれがある。具体的には、例えば、ヒータ部１１ｂと基部１１ａとの境界位置に折れ等が生じやすい。これを考慮し、図２に示すように、本実施形態においては、ヒータ部１１ｂの板面に対向する両側に起立壁１２が設けられている。
【００３２】
これによって、ヒータ部１１ｂの板面に対して直交する方向から付与される荷重を起立壁１２で受けることができ、ヒータ部１１ｂに対して直接的に荷重が加わるのを防止できる。具体的には、例えば、掃除の際にバーナヘッド２を取り外してバーナボディ１の載置部１０を含む上端面の汚れを拭き取る作業を行った場合、拭き取り具等がヒータ部１１ｂに接触することがない。従って、セラミックヒータ１１の損傷が防止でき、セラミックヒータ１１の損傷による点火性能の低下を防止することができる。
【００３３】
なお、本実施形態では、点火源としてセラミックヒータ１１を採用したものを示しているが、本発明はそれ以外に、点火源として点火プラグを採用した場合や、点火源が平板状以外の形状である場合にも有効である。
【００３４】
即ち、図示しないが、この種のコンロ用バーナに用いられる点火プラグは針状の電極を備え、この電極は不用意に接触することにより損傷するおそれがあるが、両起立壁１２の間に点火プラグの電極を配置することにより、点火プラグの損傷が防止できる。同様に、点火源が柱状、棒状或いは筒状といった平板状以外の形状である場合にも、両起立壁１２の間に配置することにより、点火源の損傷を防止することができる。
【００３５】
また、図１及び図５に示すように、本実施形態におけるバーナヘッド２は、点火用凹部１４の外周面に張り出す鍔部１９を備えているが、図６に示すように、点火用凹部１４の外周面を張り出させずに覆う覆壁２０としてもよい。これによれば、点火用凹部１４の内側への煮汁等の入り込みが防止できるだけでなく、バーナヘッド２の外観を良好とすることができる。
【符号の説明】
【００３６】
１…バーナボディ、２…バーナヘッド、６…上部炎孔（炎孔）、７…下部炎孔（炎孔）、８…第１混合管（混合管）、９…第２混合管（混合管）、１０…載置部（上端面）、１１…セラミックヒータ（点火源、平板状ヒータ）、１２…起立壁、１４…点火用凹部（係合部）、１８…点火用炎孔。
【図１】
2014163636.tif 000003
【図２】
2014163636.tif 000004
【図３】
2014163636.tif 000005
【図４】
2014163636.tif 000006
【図５】
2014163636.tif 000007
【図６】
2014163636.tif 000008